(57)【特許請求の範囲】
【請求項１】
使用者側である前面が開口する箱状をなすと共に内部に冷気が供給されるものであって、第１の断熱パネルおよび第２の断熱パネルを有するキャビネットと、
前記キャビネットの内側または外側に設けられた補助断熱材を備え、
前記第１の断熱パネルおよび前記第２の断熱パネルのそれぞれは、次の１）袋体および次の２）コア材を有するものであって前記第１の断熱パネルのコア材および前記第２の断熱パネルのコア材がいずれも存在しない非存在領域を介して相互に隣接し、
１）気密状態に密閉されたものであって、内部が大気圧に比べて低い低圧力にされた袋体
２）袋体の内部に収納されたコア材
前記補助断熱材は、予め成形された成形品であり、前記第１の断熱パネルおよび前記第２の断熱パネルのそれぞれに比べて前記キャビネットの内部空間の側または外部空間の側から前記非存在領域に対向し、カバーによって覆われていることを特徴とする食品貯蔵庫。
【請求項２】
前記補助断熱材は、前記キャビネットの内部空間に設けられていることを特徴とする請求項１に記載の食品貯蔵庫。
【請求項３】
前記補助断熱材は、前記第１の断熱パネルおよび前記第２の断熱パネルのそれぞれに比べて前記キャビネットの内部空間の内側または外部空間の側から前記非存在領域の全てに対向していることを特徴とする請求項１に記載の食品貯蔵庫。
【請求項４】
前記第１の断熱パネルおよび前記第２の断熱パネルは、前記非存在領域を介して相互に交差し、
前記補助断熱材は、前記第１の断熱パネルおよび前記第２の断熱パネルのそれぞれに比べて前記キャビネットの内部空間の側から前記非存在領域に対向するように前記第１の断熱パネルおよび前記第２の断熱パネル相互間の交差部分に設けられていることを特徴とする請求項１および３のいずれかに記載の食品貯蔵庫。
【請求項５】
前記第１の断熱パネルおよび前記第２の断熱パネルの双方または一方を前記キャビネットの内部空間の側から覆うカバーと、
前記カバーに設けられ、前記第１の断熱パネルおよび前記第２の断熱パネルの双方または一方との間に空間状の断熱材収納部が形成されるように前記キャビネットの内部空間の側に突出する突部を備え、
前記補助断熱材は、
前記カバーの断熱材収納部内に収納されたものであって、前記第１の断熱パネルおよび前記第２の断熱パネルのそれぞれに比べて前記キャビネットの内部空間の側から前記非存在領域に対向すると共に前記キャビネットの内部空間から隔絶されていることを特徴とする請求項１と３と４のいずれかに記載の食品貯蔵庫。
【請求項６】
前記第１の断熱パネルが内部に収納された第１のケースと、
前記第２の断熱パネルが内部に収納されたものであって、前記第１のケースに接合された第２のケースを備え、
前記キャビネットは、前記第１のケースおよび前記第２のケースのそれぞれを含んで構成されていることを特徴とする請求項１〜５のいずれかに記載の食品貯蔵庫。
【発明の詳細な説明】
【技術分野】
【０００１】
実施例は食品貯蔵庫に関する。
【背景技術】
【０００２】
食品貯蔵庫には前面が開口する箱状のキャビネットを備えたものがある。このキャビネットは常温度に比べて低温度の冷気が供給されるものであり、食品はキャビネットの内部空間に収納されることで冷蔵保存または冷凍保存される。
【先行技術文献】
【特許文献】
【０００３】
【特許文献１】特開平０４−１４８１８１号公報
【特許文献２】特開平０４−３００４９６号公報
【発明の概要】
【発明が解決しようとする課題】
【０００４】
本件出願人は複数の断熱パネルを相互に組合せることからキャビネットを構成することを提案した。これら複数の断熱パネルのそれぞれは袋体の内部をコア材の収納状態で真空化したものであり、隣接する２つの断熱パネル相互間にはコア材が存在しない非存在領域が形成される。このため、キャビネットの外部から断熱パネル相互間の非存在領域を通ってキャビネットの内部に熱が進入する虞がある。
【課題を解決するための手段】
【０００５】
実施例の食品貯蔵庫は、使用者側である前面が開口する箱状をなすと共に内部に冷気が供給されるものであって第１の断熱パネルおよび第２の断熱パネルを有するキャビネットと、前記キャビネットの内側または外側に設けられた補助断熱材を備え、前記第１の断熱パネルおよび前記第２の断熱パネルのそれぞれは「１）気密状態に密閉されたものであって内部が大気圧に比べて低い低圧力にされた袋体」および「２）袋体の内部に収納されたコア材」を有するものであって前記第１の断熱パネルのコア材および前記第２の断熱パネルのコア材がいずれも存在しない非存在領域を介して相互に隣接し、前記補助断熱材は、予め成形された成形品であり、前記第１の断熱パネルおよび前記第２の断熱パネルのそれぞれに比べて前記キャビネットの内部空間の側または外部空間の側から前記非存在領域に対向し、カバーによって覆われているところに特徴を有する。
【図面の簡単な説明】
【０００６】
【図１】実施例１を示す図（ａはキャビネットの外観を斜め前方から分解状態で示す図、ｂはキャビネットの外観を斜め前方から組立て状態で示す図）
【図２】キャビネットの天板および後板相互間の接合状態を示す断面図
【図３】真空断熱パネルを示す断面図
【図４】実施例２を示す図２相当図
【図５】実施例３を示す図１の（ｂ）相当図
【図６】（ａ）はキャビネットの天板部および後板部を示す断面図、（ｂ）はキャビネットの左側板部を示す断面図
【図７】補助断熱材および真空断熱パネルの外観を示す図
【図８】実施例４を示す図７相当図
【図９】実施例５を示す図６の（ａ）相当図
【発明を実施するための形態】
【０００７】
【実施例１】
【０００８】
図１のキャビネット１は前面が開口する箱状をなすものであり、天板２と後板３と左側板４と右側板５と底板６を相互に組合せることから構成されている。このキャビネット１の内部空間には水平な断熱仕切板７が固定されている。この断熱仕切板７は中空状のケース内に発泡スチロール等の固形状の断熱材を収納することから構成されたものであり、キャビネット１の内部には断熱仕切板７の上方に位置して冷蔵室８が形成され、断熱仕切板７の下方に位置して冷凍室９が形成されている。冷蔵室８は天板２と後板３と左側板４と右側板５と断熱仕切板７で囲まれた前面が開口する空間部を称するものであり、食品を冷蔵保存するための冷蔵温度帯域にコントロールされる。冷凍室９は後板３と左側板４と右側板５と底板６と断熱仕切板７で囲まれた前面が開口する空間部を称するものであり、食品を冷凍保存するための冷凍温度帯域（＜冷蔵温度帯域）にコントロールされる。
【０００９】
キャビネット１にはＲドアおよびＦドアのそれぞれが装着されている。Ｒドアは閉鎖状態および開放状態相互間で使用者が操作することが可能なものであり、冷蔵室８の前面はＲドアの閉鎖状態で気密状態に閉鎖され、Ｒドアの開放状態で食品を出し入れすることが可能に開放される。Ｆドアは閉鎖状態および開放状態相互間で使用者が操作することが可能なものであり、冷凍室９の前面はＦドアの閉鎖状態で気密状態に閉鎖され、Ｆドアの開放状態で食品を出し入れすることが可能に開放される。
【００１０】
キャビネット１の後板３にはキャビネット１の外部に位置してＲ冷気ダクトが固定されている。このＲ冷気ダクトは入口および出口を有する通路状をなすものであり、Ｒ冷気ダクトの入口および出口のそれぞれは冷蔵室８内に接続されている。このＲ冷気ダクト内にはＲエバポレータおよびＲファン装置が固定されている。Ｒファン装置は冷蔵室８内の空気をＲ冷気ダクトの入口からＲ冷気ダクト内に吸引してＲ冷気ダクトの出口から冷蔵室８内に戻すものであり、Ｒエバポレータはコンプレッサからコンデンサを通して冷媒が供給されることで冷気を生成するものであり、Ｒファン装置の運転状態でＲエバポレータに冷媒が供給されている場合にはＲ冷気ダクトの出口から冷蔵室８内に冷気が放出されることで冷蔵室８内が冷却される。
【００１１】
キャビネット１の後板３にはキャビネット１の外部に位置してＦ冷気ダクトが固定されている。このＦ冷気ダクトは入口および出口を有する通路状をなすものであり、Ｆ冷気ダクトの入口および出口のそれぞれは冷凍室９内に接続されている。このＦ冷気ダクト内にはＦエバポレータおよびＦファン装置が固定されている。Ｆファン装置は冷凍室９内の空気をＦ冷気ダクトの入口からＦ冷気ダクト内に吸引してＦ冷気ダクトの出口から冷凍室９内に戻すものであり、Ｆエバポレータはコンプレッサからコンデンサを通して冷媒が供給されることで冷気を生成するものであり、Ｆファン装置の運転状態でＦエバポレータに冷媒が供給されている場合にはＦ冷気ダクトの出口から冷凍室９内に冷気が放出されることで冷凍室９内が冷却される。
１．キャビネット１の天板２の説明
外カバー１０は、図２に示すように、下面が開口する皿状をなすものであり、主板部１１と前板部１２と後板部１３と左板部と右板部を有している。主板部１１は水平な長方形状をなすものであり、前板部１２は主板部１１の前端面に沿って左右方向へ指向し、後板部１３は主板部１１の後端面に沿って左右方向へ指向し、左板部は主板部１１の左端面に沿って前後方向へ指向し、右板部は主板部１１の右端面に沿って前後方向へ指向している。この外カバー１０はキャビネット１の外部空間の側に位置するものであり、１枚の鋼板を加工することから構成されている。この外カバー１０の前板部１２と後板部１３と左板部と右板部は主板部１１を取囲むフランジを構成するものであり、前板部１２には折曲部１４が形成されている。この折曲部１４は外カバー１０の基材である鋼板を折曲げることから構成されたものであり、前板部１２に後方から隙間を介して対向している。
【００１２】
外カバー１０には、図２に示すように、キャビネット１の内部空間の側に位置して合成樹脂製の内カバー１５が装着されている。この内カバー１５は上面が開口する皿状をなすものであり、主板部１６と前板部１７と後板部１８と左板部と右板部を有している。主板部１６は水平な長方形状をなすものであり、前板部１７は主板部１６の前端面に沿って左右方向へ指向し、後板部１８は主板部１６の後端面に沿って左右方向へ指向し、左板部は主板部１６の左端面に沿って前後方向へ指向し、右板部は主板部１６の右端面に沿って前後方向へ指向している。この内カバー１５の前板部１７と後板部１８と左板部と右板部は主板部１６を取囲むフランジを構成するものであり、主板部１６には下方へ突出する突部１９が形成され、前板部１７には後方へ突出する爪部２０が形成されている。
【００１３】
外カバー１０および内カバー１５相互間は、図２に示すように、クリップ２１を介して固定されている。このクリップ２１は２つの締結部２２相互間を連結部２３を介して連結した形状をなすものであり、両締結部２２は隙間を介して相互に対向し、後方の締結部２２には前方へ突出する爪部２４が形成されている。このクリップ２１の両締結部２２相互間の隙間には外カバー１０の折曲部１４および内カバー１５の前板部１７のそれぞれが挿入されており、クリップ２１の爪部２４には内カバー１５の爪部２０が係合している。これら外カバー１０の折曲部１４および内カバー１５の前板部１７のそれぞれが両締結部２２相互間の隙間に挿入された状態では両締結部２２のそれぞれが互いに接近する方向に弾性復元力を発揮し、外カバー１０の折曲部１４および内カバー１５の前板部１７が両締結部２２の弾性復元力で互いに接触した状態に拘束され、クリップ２１がクリップ２１の爪部２４および内カバー１５の爪部２０相互間の係合力で上方へ抜止めされている。これら外カバー１０および内カバー１５相互間がクリップ２１を介して固定された状態では内カバー１５の主板部１６が外カバー１０の主板部１１に下方から隙間を介して対向し、内カバー１５の後板部１８が外カバー１０の後板部１３に前方から隙間を介して対向し、内カバー１５の左板部が外カバー１０の左板部に右方から接触し、内カバー１５の右板部が外カバー１０の右板部に左方から接触する。
【００１４】
内カバー１５の後板部１８には、図２に示すように、左右方向へ指向する水平な座板部２５が形成されている。この座板部２５は外カバー１０および内カバー１５相互間がクリップ２１を介して固定された状態で外カバー１０の主板部１１に下方から隙間を介して対向するものであり、内カバー１５の座板部２５および外カバー１０の主板部１１相互間の隙間にはシール材２６が介在されている。このシール材２６は内カバー１５の基材の合成樹脂に比べて軟質な合成樹脂またはゴムからなるものであり、内カバー１５の座板部２５および外カバー１０の主板部１１相互間の隙間を塞いでいる。
【００１５】
外カバー１０および内カバー１５は、図２に示すように、クリップ２１を介して固定された状態で中空状のパネルケース２７を構成するものである。このパネルケース２７は第１のケースに相当するものであり、パネルケース２７の内部には真空断熱パネル２８が収納されている。この真空断熱パネル２８は、図３に示すように、ガスバリア２９およびコア材３０を有するものである。ガスバリア２９は合成樹脂製の２枚のフィルム３１相互間を外周部でヒートシールすることから袋状に構成されたものであり、２枚のフィルム３１のそれぞれには薄膜３２が形成されている。これら２つの薄膜３２のそれぞれはアルミニウムを材料とするものであり、ガスバリア２９の内部および外部相互間で空気が流通することを防止する。このガスバリア２９は袋体に相当するものであり、気密状態に密閉されている。コア材３０はグラスウールを板状に成形することから構成されたものであり、コア材３０のガラス繊維相互間には空間が形成されている。このコア材３０はガスバリア２９の定形性を高めるものであり、ガスバリア２９の内部空間はコア材３０の収納状態で空気が吸引されることで真空化されている。この真空断熱パネル２８は第１の断熱パネルに相当するものであり、図２に示すように、ガスバリア２９のうちヒートシールされた外周部を折曲げた状態でパネルケース２７内に収納されている。
２．キャビネット１の後板３の説明
後板３は、図２に示すように、パネルケース３３の内部に真空断熱パネル２８を収納することから構成されたものであり、パネルケース３３は第２のケースに相当し、パネルケース３３内の真空断熱パネル２８は第２の断熱パネルに相当する。このパネルケース３３は鋼板製の外カバー３４および合成樹脂製の内カバー３５を相互に組合せてなる中空状をなすものであり、後板２および天板３相互間は後板３の外カバー３４の上端部を天板２の外カバー１０の後板部１３に溶接することで接合されている。この後板２の左右方向の幅寸法は天板２と同一に設定されており、天板２および後板３相互間は前方から見て左端面および右端面のそれぞれが相互に重なるように接合されている。これら天板２および後板３相互間が接合された状態では天板２の真空断熱パネル２８のコア材３０の後端面および後板３の真空断熱パネル２８のコア材３０の上端面相互間に非存在領域３６が形成される。この非存在領域３６は両真空断熱パネル２８のコア材３０がいずれも存在しない領域であり、左右方向へ指向している。
【００１６】
内カバー３５の上端部には、図２に示すように、天板受け３７が形成されている。この天板受け３７は内カバー３５の残りの部分に対して前方へ突出するものであり、天板２の内カバー１５を下方から支持している。この天板受け３７は天板２の突部１９に後方から接触することで後板３を天板２に対して前後方向の目標位置に配置するものであり、天板２の左端面から右端面までと同一の左右方向の長さ寸法を有している。この天板受け３７の後端部には座板部３８が形成されている。この座板部３８は外カバー３４に隙間を介して対向するものであり、座板部３８および外カバー３４相互間の隙間にはシール材３９が介在されている。このシール材３９は内カバー３５の基材の合成樹脂に比べて軟質な合成樹脂またはゴムからなるものであり、座板部３８および外カバー３４相互間の隙間を塞いでいる。この内カバー３５はカバーに相当し、天板受け３７は突部に相当する。
【００１７】
天板受け３７および真空断熱パネル２８相互間には、図２に示すように、空間状の断熱材収納部４０が形成されている。この断熱材収納部４０は非存在領域３６の左端から右端までと同一の左右方向の長さ寸法を有するものであり、断熱材収納部４０内には固形状の補助断熱材４１が収納されている。この補助断熱材４１は真空断熱パネル２８に比べて断熱性が低いものであり、非存在領域３６の左端から右端までと同一の左右方向の長さ寸法を有している。この補助断熱材４１は発泡スチロールまたはウレタン等の合成樹脂を予め決められた一定の形状に成形してなる成形品からなるものであり、天板２の真空断熱パネル２８および後板３の真空断熱パネル２８のそれぞれに比べてキャビネット１の内側に配置されている。この補助断熱材４１は非存在領域３６の左右方向の全体を介してキャビネット１の外部空間に対向するものであり、下方から見て天板２の真空断熱パネル２８のコア材３０に重なり、前方から見て後板３の真空断熱パネル２８のコア材に重なる。
３．キャビネット１の左側板４と右側板５と底板６のそれぞれの説明
左側板４〜底板６のそれぞれはパネルケースの内部に真空断熱パネルを収納することから構成されたものである。これら左側板４〜底板６のそれぞれのパネルケースは鋼板製の外カバーおよび合成樹脂製の内カバーを相互に組合せてなる中空状をなすものであり、左側板４は左側板４の外カバーを天板２の外カバー１０および後板３の外カバー３４のそれぞれに溶接することで接合され、右側板５は右側板５の外カバーを天板２の外カバー１０および後板３の外カバー３４のそれぞれに溶接することで接合され、底板６は底板６の外カバーを後板３の外カバー３４と左側板の外カバーと右側板の外カバーのそれぞれに溶接することで接合されている。
【００１８】
左側板４の真空断熱パネルのコア材および天板２の真空断熱パネル２８のコア材３０相互間と左側板４の真空断熱パネルのコア材および後板３の真空断熱パネル２８のコア材３０相互間と右側板５の真空断熱パネルのコア材および天板２の真空断熱パネル２８のコア材３０相互間と右側板５の真空断熱パネルのコア材および後板３の真空断熱パネル２８のコア材３０相互間と底板６の真空断熱パネルのコア材および左側板４の真空断熱パネルのコア材相互間と底板６の真空断熱パネルのコア材および右側板５の真空断熱パネルのコア材相互間と底板６の真空断熱パネルのコア材および後板３の真空断熱パネル２８のコア材３０相互間の７箇所のそれぞれには真空断熱パネルのコア材が存在しない非存在領域が形成されており、７つの非存在領域のそれぞれはキャビネット１内の隅部に発泡スチロールまたはウレタン等の成形品からなる補助断熱材を固定することで断熱性が高められている。
【００１９】
上記実施例１によれば次の効果を奏する。
補助断熱材４１を天板２の真空断熱パネル２８のコア材３０および後板３の真空断熱パネル２８のコア材３０相互間の非存在領域３６に対向配置した。このため、キャビネット１の外部空間から非存在領域３６を通ってキャビネット１の内部空間に熱が進入することが補助断熱材４１の非存在状態に比べて低く抑えられるので、冷蔵室８内および冷凍室９内のそれぞれを補助断熱材４１の非存在状態に比べて少ない冷気の供給量で目標温度帯域にコントロールできる。従って、Ｒファン装置とＦファン装置とコンプレッサのそれぞれの運転時間が補助断熱材４１の非存在状態に比べて短縮されるので、消費電力量が補助断熱材４１の非存在状態に比べて少なくなる。
【００２０】
補助断熱材４１を非存在領域３６の左右方向の全域に対向させたので、補助断熱材４１を非存在領域３６の左右方向の一部に対向させる場合に比べて断熱性が高まる。補助断熱材４１を天板２の真空断熱パネル２８および後板３の真空断熱パネル２８相互間の交差部分に配置した。これら両真空断熱パネル２８は相互に直角に交差するものであり、１枚の真空断熱パネルを直角に折曲げる場合を除いて両真空断熱パネル２８相互間には面積が大きな非存在領域３６が残る。この面積が大きな非存在領域３６に補助断熱材４１を対向配置したので、断熱性が高まる。
【００２１】
後板３の内カバー３５に突状の天板受け３７を設け、後板３の天板受け３７および後板３の真空断熱パネル２８相互間の断熱材収納部４０内に補助断熱材４１を収納した。このため、補助断熱材４１がキャビネット１の内部空間から隔絶されるので、使用者が食品を冷蔵室８内に収納する場合に食品が補助断熱材４１に直接的に接触することがなくなり、使用者が冷蔵室８内を覗き込んだ場合の冷蔵室８内の見栄えが高まる。パネルケース２７内に真空断熱パネル２８を収納することからキャビネット１の天板２を構成し、パネルケース３３内に真空断熱パネル２８を収納することからキャビネット１の後板３を構成したので、天板２の外カバー１０および後板３の外カバー３４を相互に溶接することで２つの真空断熱パネル２８相互間を組合せることができる。
【実施例２】
【００２２】
後板３の内カバー３５には、図４に示すように、補助断熱材４１が固定されている。この補助断熱材４１は天板２の突部１９に後方から接触することで後板３を天板２に対して前後方向の目標位置に配置するものであり、キャビネット１の内部空間に配置されている。この補助断熱材４１は非存在領域３６の左右方向の全体を介してキャビネット１の外部空間に対向するものであり、下方から見て天板２の真空断熱パネル２８のコア材３０に重なり、前方から見て後板３の真空断熱パネル２８のコア材３０に重なっている。
【００２３】
上記実施例２によれば次の効果を奏する。
補助断熱材４１を天板２の真空断熱パネル２８のコア材３０および後板３の真空断熱パネル２８のコア材３０相互間の非存在領域３６に対向配置したので、キャビネット１の外部空間から非存在領域３６を通ってキャビネット１の内部空間に熱が進入することが補助断熱材４１の非存在状態に比べて低く抑えられる。補助断熱材４１をキャビネット１の内部空間に配置したので、パネルケース２７およびパネルケース３３相互間の接合状態でパネルケース２７の内カバー１５およびパネルケース３３の内カバー３５のそれぞれに補助断熱材４１を接着することができる。
【実施例３】
【００２４】
図５のキャビネット５１は前面が開口する箱状をなすものであり、天板部と後板部と左側板部と右側板部と底板部を有している。このキャビネット５１は外箱５２および内箱５３を相互に接合することから構成されたものであり、外箱５２および内箱５３相互間には天板部〜底板部のそれぞれに位置して空間部が形成されている。これら外箱５２および内箱５３のそれぞれは前面が開口する箱状をなすものであり、外箱５２は複数枚の鋼板を相互に接合することから構成され、内箱５３は合成樹脂を射出成形することから構成されている。このキャビネット５１の内部には断熱仕切板７が固定されており、キャビネット５１の内部には断熱仕切板７の上方に位置して冷蔵室８が形成され、断熱仕切板７の下方に位置して冷凍室９が形成されている。
【００２５】
外箱５２および内箱５３相互間の空間部には、図６に示すように、真空断熱パネル５４と真空断熱パネル５５と真空断熱パネル５６と真空断熱パネル５７が収納されている。これら真空断熱パネル５４〜５７のそれぞれはガスバリア２９およびコア材３０を有するものであり、ガスバリア２９の内部空間はコア材３０の収納状態で真空引きされている。真空断熱パネル５４はキャビネット５１の天井部に配置され、真空断熱パネル５５はキャビネット５１の後板部に配置されたものであり、真空断熱パネル５４および真空断熱パネル５５相互間には真空断熱パネル５４のコア材３０および真空断熱パネル５５のコア材３０がいずれも存在しない非存在領域５８が形成されている。この真空断熱パネル５４は第１の断熱パネルに相当し、真空断熱パネル５５は第２の断熱パネルに相当する。真空断熱パネル５６および真空断熱パネル５７のそれぞれはキャビネット５１の左側板部に配置されたものであり、真空断熱パネル５６および真空断熱パネル５７相互間には真空断熱パネル５６のコア材３０および真空断熱パネル５７のコア材３０がいずれも存在しない非存在領域５９が形成されている。この真空断熱パネル５６は第１の断熱パネルに相当し、真空断熱パネル５７は第２の断熱パネルに相当する。
【００２６】
内箱５３には、図６の（ａ）に示すように、キャビネット５１の天板部および後板部相互間の交差部分に位置して突部６０が形成されている。この内箱５３はカバーに相当するものであり、真空断熱パネル５４と真空断熱パネル５５と突部６０との間には空間状の断熱材収納部６１が形成されている。この断熱材収納部６１内には発泡スチロールまたはウレタンの成形品からなる補助断熱材６２が収納されており、補助断熱材６２は、図７に示すように、真空断熱パネル５４および真空断熱パネル５５のそれぞれに比べてキャビネット５１の内側から非存在領域５８の全てに対向している。この補助断熱材６２は、図６の（ａ）に示すように、キャビネット５１の内部空間から隔絶されたものであり、下方から見て真空断熱パネル５４のコア材３０に重なり、前方から見て真空断熱パネル５５のコア材３０に重なっている。
【００２７】
内箱５３には、図６の（ｂ）に示すように、発泡スチロールまたはウレタンの成形品からなる補助断熱材６３が固定されており、補助断熱材６３は真空断熱パネル５６および真空断熱パネル５７のそれぞれに比べてキャビネット５１の内側から非存在領域５９の全てに対向している。この補助断熱材６３はキャビネット５１の内部空間に配置されたものであり、右方から見て真空断熱パネル５６のコア材３０および真空断熱パネル５７のコア材３０それぞれに重なっている。
【００２８】
上記実施例３によれば次の効果を奏する。
補助断熱材６２を真空断熱パネル５４のコア材３０および真空断熱パネル５５のコア材３０相互間の非存在領域５８に対向配置したので、キャビネット５１の外部空間から非存在領域５８を通ってキャビネット５１の内部空間に熱が進入することが補助断熱材６２の非存在状態に比べて低く抑えられる。補助断熱材６３を真空断熱パネル５６のコア材３０および真空断熱パネル５７のコア材３０相互間の非存在領域５９に対向配置したので、キャビネット５１の外部空間から非存在領域５９を通ってキャビネット５１の内部空間に熱が進入することが補助断熱材６３の非存在状態に比べて低く抑えられる。
【００２９】
補助断熱材６２を非存在領域５８の全域に対向させたので、補助断熱材６２を非存在領域５８の左右方向の一部に対向させる場合に比べて断熱性が高まる。補助断熱材６３を非存在領域５９の全域に対向させたので、補助断熱材６３を非存在領域５９の前後方向の一部に対向させる場合に比べて断熱性が高まる。補助断熱材６２を断熱材収納部６１内に収納したので、使用者が食品を冷蔵室８内に収納する場合に食品が補助断熱材６２に直接的に接触することがなくなり、使用者が冷蔵室８内を覗き込んだ場合の冷蔵室８内の見栄えが高まる。補助断熱材６３をキャビネット５１の内部空間に配置したので、内箱５３に補助断熱材６３を接着することができる。
【実施例４】
【００３０】
キャビネット５１の断熱材収納部６１内には、図８に示すように、左端部および右端部のそれぞれに位置して補助断熱材７１が収納されている。これら２つの補助断熱材７１のそれぞれは発泡スチロールまたはウレタンの成形品からなるものであり、真空断熱パネル５４および真空断熱パネル５５のそれぞれに比べてキャビネット５１の内側から真空断熱パネル５４のコア材３０および真空断熱パネル５５のコア材３０相互間の非存在領域５８の一部に対向している。これら２つの補助断熱材７１のそれぞれはキャビネット５１の内部空間から隔絶されたものであり、下方から見て真空断熱パネル５４のコア材３０に重なり、前方から見て真空断熱パネル５５のコア材３０に重なっている。
【００３１】
上記実施例４によれば次の効果を奏する。
２つの補助断熱材７１のそれぞれを非存在領域５８に対向配置したので、キャビネット５１の外部空間から非存在領域５８を通ってキャビネット５１の内部空間に熱が進入することが両補助断熱材７１の非存在状態に比べて低く抑えられる。
【実施例５】
【００３２】
キャビネット５１の内箱５３には、図９に示すように、天板部および後板部相互間の交差部分に位置して円弧部８１が形成されている。この円弧部８１は垂直な破断線に沿う断面が円弧状をなすものであり、円弧部８１には補助断熱材８２が固定されている。この補助断熱材８２は発泡スチロールまたはウレタンの成形品からなるものであり、真空断熱パネル５４および真空断熱パネル５５のそれぞれに比べてキャビネット５１の内側から真空断熱パネル５４のコア材３０および真空断熱パネル５５のコア材３０相互間の非存在領域５８の全てに対向している。この補助断熱材８２はキャビネット５１の内部空間に配置されたものであり、下方から見て真空断熱パネル５４のコア材３０に重なり、前方から見て真空断熱パネル５５のコア材３０に重なっている。
【００３３】
上記実施例５によれば次の効果を奏する。
補助断熱材８２を非存在領域５８に対向配置したので、キャビネット５１の外部空間から非存在領域５８を通ってキャビネット５１の内部空間に熱が進入することが補助断熱材８２の非存在状態に比べて低く抑えられる。補助断熱材８２をキャビネット５１の内部空間に配置したので、内箱５３に補助断熱材８２を接着することができる。
【００３４】
上記実施例１〜実施例５のそれぞれにおいては、補助断熱材４１または補助断熱材６２または補助断熱材６３または補助断熱材７１または補助断熱材８２として真空断熱パネルを用いても良い。
【００３５】
上記実施例１〜実施例５のそれぞれにおいては、補助断熱材を相互に隣接する２つの真空断熱パネルのそれぞれに比べてキャビネットの外側から当該２つの真空断熱パネルのコア材相互間の非存在領域に対向させ、キャビネットの外部空間から非存在領域を通ってキャビネットの内部空間に熱が進入することを補助断熱材によって低く抑えても良い。
【符号の説明】
【００３６】
１はキャビネット、２７はパネルケース（第１のケース）、２８は真空断熱パネル（第１の断熱パネル，第２の断熱パネル）、２９はガスバリア（袋体）、３０はコア材、３３はパネルケース（第２のケース）、３５は内カバー（カバー）、３６は非存在領域、３７は天板受け（突部）、４０は断熱材収納部、４１は補助断熱材、５１はキャビネット、５３は内箱（カバー）、５４は真空断熱パネル（第１の断熱パネル）、５５は真空断熱パネル（第２の断熱パネル）、５６は真空断熱パネル（第１の断熱パネル）、５７は真空断熱パネル（第２の断熱パネル）、５８は非存在領域、５９は非存在領域、６０は突部、６１は断熱材収納部、６２は補助断熱材、６３は補助断熱材、７１は補助断熱材、８２は補助断熱材を示す。
【図１】
0005586363.tif 000002
【図２】
0005586363.tif 000003
【図３】
0005586363.tif 000004
【図４】
0005586363.tif 000005
【図５】
0005586363.tif 000006
【図６】
0005586363.tif 000007
【図７】
0005586363.tif 000008
【図８】
0005586363.tif 000009
【図９】
0005586363.tif 000010